(57)【要約】【課題】  コンクリート供試体の個別情報を自動的に識別できるようにすると共に、比較結果が合致したコンクリート供試体のみを試験できるようにする。【解決手段】  個体識別用のラベルシールの個別データＤ１とラベル管理データリストとを比較し、比較結果に基づいてコンクリート供試体４を試験する端末装置１を備える。例えば、ラベル管理データリストの試験予定日項目の日付と試験当日の日付とを比較し、試験予定日項目の日付と試験当日の日付とが一致するラベル管理データリストの識別番号を検索して抽出し、抽出された当該識別番号と読み取られたコンクリート供試体４の個別データＤ１の識別番号とを比較し、比較後、個別データＤ１の識別番号とラベル管理データリストの識別番号とが合致すれば、コンクリート供試体４を試験する。【選択図】    図１
2007198840.tif 000002
【特許請求の範囲】
【請求項１】
コンクリート供試体を試験するシステムであって、
前記コンクリート供試体の個別情報に基づいて個体識別用のラベル、及びラベル管理情報を作成する作成手段と、
前記作成手段により作成されて前記コンクリート供試体の所定の位置に貼り付けられた前記ラベルの前記個別情報を読み取る読取手段と、
前記読取手段により読み取られた前記個別情報と前記ラベル管理情報とを比較し、比較結果に基づいて前記コンクリート供試体を試験する試験手段と
を備えることを特徴とするコンクリート供試体の試験システム。
【請求項２】
前記個別情報には、
識別番号、作成日、コンクリート組成情報、建室名・施工者、及び試験予定日を含むことを特徴とする請求項１に記載のコンクリート供試体の試験システム。
【請求項３】
前記ラベル管理情報には、
識別番号、作成日、コンクリート組成情報、建室名・施工者、試験予定日、試験実施日、及び測定情報を含むことを特徴とする請求項１に記載のコンクリート供試体の試験システム。
【請求項４】
前記ラベルには、
耐水性のラベルシールを使用することを特徴とする請求項１に記載のコンクリート供試体の試験システム。
【請求項５】
前記ラベルには、
識別番号、作成日、建室名・施工者、試験予定日、及び前記識別番号に対応するバーコードが耐水性の文字で印刷されることを特徴とする請求項１に記載のコンクリート供試体の試験システム。
【請求項６】
前記試験手段は、前記ラベル管理情報の試験予定日項目の日付と試験当日の日付とを比較し、前記試験予定日項目の日付と前記試験当日の日付とが一致する前記ラベル管理情報の識別番号を検索して抽出し、抽出された当該識別番号と読み取られた前記コンクリート供試体の前記個別情報の識別番号とを比較し、
比較後、前記個別情報の識別番号と前記ラベル管理情報の識別番号とが合致すれば、前記コンクリート供試体を試験することを特徴とする請求項１に記載のコンクリート供試体の試験システム。
【請求項７】
前記コンクリート供試体の強度を測定する強度測定手段と、
前記強度測定手段と前記試験手段を接続する通信手段とを備え、
前記試験手段は、
前記通信手段を介して前記強度測定手段から送信される測定情報と前記ラベル管理情報とを関連付けて記録することを特徴とする請求項１に記載のコンクリート供試体の試験システム。
【請求項８】
コンクリート供試体を試験する方法であって、
前記コンクリート供試体の個別情報に基づいて個体識別用のラベル、及びラベル管理情報を作成し、
作成された前記ラベルを前記コンクリート供試体の所定の位置に貼り付け、
貼り付けられた前記ラベルの前記個別情報を前記コンクリート供試体の試験の前に読み取り、
読み取られた前記個別情報と前記ラベル管理情報とを比較し、
比較結果に基づいて前記コンクリート供試体を試験することを特徴とするコンクリート供試体の試験方法。
【請求項９】
前記ラベル管理情報の試験予定日項目の日付と試験当日の日付とを比較し、前記試験予定日項目の日付と前記試験当日の日付とが一致する前記ラベル管理情報の識別番号を検索して抽出し、抽出された当該識別番号と読み取られた前記コンクリート供試体の前記個別情報の識別番号とを比較し、
比較後、前記個別情報の識別番号と前記ラベル管理情報の識別番号とが合致すれば、前記コンクリート供試体を試験することを特徴とする請求項８に記載のコンクリート供試体の試験方法。
【発明の詳細な説明】
【技術分野】
【０００１】
この発明は、コンクリート供試体の強度測定システムに適用可能なコンクリート供試体の試験システム及びその試験方法に関するものである。
【０００２】
詳しくは、個体識別用のラベルの個別情報とラベル管理情報とを比較し、比較結果に基づいてコンクリート供試体を試験する試験手段を備え、コンクリート供試体の個別情報を自動的に識別できるようにすると共に、比較結果が合致したコンクリート供試体のみ試験できるようにする。
【背景技術】
【０００３】
従来、コンクリートの試験の際に、試験者は、コンクリート供試体に直接油性マジックなどで手書きされた識別番号、作成日、及び種類などを目視で確認して試験対象のコンクリート供試体を選んで試験を行ってきた。また、測定された強度データに関しては、この強度データを試験者がデータシートなどに書き取ってからパソコンに手入力で入力して強度データを解析する方法が一般的であった。
【０００４】
このような従来例に関連して、特許文献１には、圧縮試験用に作成されるコンクリートテストピースが開示されている。このコンクリートテストピースは、施主の直筆サインが記入される記入部を有したネームラベルがコンクリート部材内部に直筆サインが見えるように埋め込まれる。これにより、テストピース完成後に、手書きで現場名などをコンクリートテストピースに記入する手間を削減できると共に、記入の際に発生する人為的ミスの可能性を減少できるようにしたものである。
【０００５】
【特許文献１】特開２００４−６１２６６号公報（第３頁、第１図）
【発明の開示】
【発明が解決しようとする課題】
【０００６】
ところで、従来例に係るコンクリート供試体の試験方法によれば、特許文献１に見られるようにコンクリート供試体に個別情報を直接手書きで記載したり、施主のサインが記入されたネームラベルがコンクリート供試体に取り付けられている。このため、供試体を取り間違えてそのまま試験されてしまう場合がある。
【０００７】
そこで、本発明はこのような従来例に係る課題を解決したものであって、コンクリート供試体の個別情報を自動的に識別できるようにすると共に、比較結果が合致したコンクリート供試体のみを試験できるようにしたコンクリート供試体の試験システム及びその試験方法を提供することを目的とする。
【課題を解決するための手段】
【０００８】
上述した課題を解決するために、請求項１に記載のコンクリート供試体の試験システムは、コンクリート供試体を試験するシステムであって、前記コンクリート供試体の個別情報に基づいて個体識別用のラベル、及びラベル管理情報を作成する作成手段と、前記作成手段により作成されて前記コンクリート供試体の所定の位置に貼り付けられた前記ラベルの前記個別情報を読み取る読取手段と、前記読取手段により読み取られた前記個別情報と前記ラベル管理情報とを比較し、比較結果に基づいて前記コンクリート供試体を試験する試験手段とを備えることを特徴とするものである。
【０００９】
本発明に係るコンクリート供試体の試験システムによれば、コンクリート供試体を試験する場合であって、作成手段は、コンクリート供試体の個別情報に基づいて個体識別用のラベル、及びラベル管理情報を作成する。読取手段は、コンクリート供試体の所定の位置に貼り付けられたラベルの個別情報を読み取る。試験手段は、個別情報とラベル管理情報とを比較し、比較結果に基づいてコンクリート供試体を試験する。例えば、試験手段は、ラベル管理情報の試験予定日項目の日付と試験当日の日付とを比較し、試験予定日項目の日付と試験当日の日付とが一致するラベル管理情報の識別番号を検索して抽出し、抽出された当該識別番号と読み取られたコンクリート供試体の個別情報の識別番号とを比較し、比較後、個別情報の識別番号とラベル管理情報の識別番号とが合致すれば、コンクリート供試体を試験する。
【００１０】
これにより、コンクリート供試体の個別情報を自動的に識別することができると共に、比較結果が合致したコンクリート供試体のみ試験することができる。
【００１１】
上述した課題を解決するために、請求項８に記載のコンクリート供試体の試験方法は、コンクリート供試体を試験する方法であって、前記コンクリート供試体の個別情報に基づいて個体識別用のラベル、及びラベル管理情報を作成し、作成された前記ラベルを前記コンクリート供試体の所定の位置に貼り付け、貼り付けられた前記ラベルの前記個別情報を前記コンクリート供試体の試験の前に読み取り、読み取られた前記個別情報と前記ラベル管理情報とを比較し、比較結果に基づいて前記コンクリート供試体を試験することを特徴とするものである。
【００１２】
本発明に係るコンクリート供試体の試験方法によれば、コンクリート供試体を試験する場合であって、コンクリート供試体の個別情報を自動的に識別することができると共に、比較結果が合致したコンクリート供試体のみ試験することができる。これにより、強度情報の確実な取り込みと情報解析の効率化を図ることができる。
【発明の効果】
【００１３】
本発明に係るコンクリート供試体の試験システム及びその試験方法によれば、個体識別用のラベルの個別情報とラベル管理情報とを比較し、比較結果に基づいてコンクリート供試体を試験する試験手段を備えるものである。
【００１４】
この構成によって、コンクリート供試体の個別情報を自動的に識別することができると共に、比較結果が合致したコンクリート供試体のみ試験することができる。これにより、強度情報の確実な取り込みと情報解析の効率化を図ることができる。
【発明を実施するための最良の形態】
【００１５】
続いて、本発明に係るコンクリート供試体の試験システム及びその試験方法について、図面を参照しながら説明をする。
【００１６】
図１は、本発明に係る実施例としてのコンクリート供試体の強度測定システム１００の構成例を示す概念図である。図１に示すコンクリート供試体の強度測定システム１００は、コンクリート供試体の試験システムの一例であり、端末装置１、強度試験機２、バーコードリーダ３、プリンタ８、第１の送信ケーブル１１、及び第２の送信ケーブル１２から構成されている。また、強度試験機２にコンクリート供試体４が設置されている。
【００１７】
コンクリート供試体４とは、コンクリートの強度を測定するための供試体である。コンクリート供試体４は円柱形状であり、直径１５ｃｍ〜３０ｃｍ程度、高さ２０ｃｍ〜４０ｃｍ程度である。例えば、原子力発電所を建設する際に使用する生コンクリートを、使用箇所やコンクリート組成比率ごとに分けて、予め型枠などに充填して固まらせ、一定期間水中養生しておく。一定期間後、固まったコンクリート供試体４を強度試験機２により圧縮して強度を測定する。これにより、原子力発電所の構造壁などのコンクリートの強度を検証できるようになる。
【００１８】
端末装置１は、作成手段及び試験手段の一例を構成し、送信ケーブル１２を介して強度試験機２に接続され、送信ケーブル１１を介してバーコードリーダ３に接続されている。端末装置１には、ノートパソコンを使用する。端末装置１は、モニタ５、複数の図示しないＵＳＢ（Universal Serial Bus）インターフェースを備えており、各ＵＳＢインターフェースには、キーボード６及びマウス７が接続されている。キーボード６には、例えば、かな漢字変換などで利用するためのキートップが備えられた１０６型キーボード６が使用される。マウス７には、例えば、光学式センサが接地面を断続的にスキャンすることで移動を検出する光学式マウスが使用される。
【００１９】
端末装置１は、コンクリート供試体４の個別情報の一例を構成する個別データＤ１に基づいて個体識別用のラベルの一例を構成するラベルシール２２、及びラベル管理情報の一例を構成するラベル管理データリスト２１を作成する。端末装置１は、バーコードリーダ３により読み取られた個別データＤ１と、ラベル管理データリスト２１とを比較し、比較結果に基づいてコンクリート供試体４を試験する。これにより、コンクリート供試体４の個別データＤ１を自動的に識別することができると共に、比較結果が合致したコンクリート供試体４のみ試験することができる。
【００２０】
個別データＤ１は、識別番号、作成日、コンクリート組成情報、建室名・施工者、及び試験予定日から構成される。ラベル管理データリスト２１は、図３に示すように、識別番号、作成日、コンクリート組成情報、建室名・施工者、試験予定日、試験実施日、及び測定データから構成される。ラベルシール２２は耐水性であり、このラベルシール２２には、識別番号、作成日、建室名・施工者、試験予定日、及び識別番号をコード化したバーコードが耐水性の文字で印刷される。
【００２１】
例えば、試験者は、コンクリート供試体４の作成日に、端末装置１に備えられたキーボード６及びマウス７を使用してラベル管理データリスト２１にコンクリート供試体４の個別データＤ１である識別番号、作成日、コンクリート組成情報、建室名・施工者、及び試験予定日を登録する。識別番号は、試験者が指定する場合と、自動的に設定される場合がある。
【００２２】
プリンタ８は、レーザープリンタ８であり、端末装置１に接続される。プリンタ８は、端末装置１から出力される個別データＤ１に基づいてラベルシール２２に、識別番号、作成日、建室名・施工者、試験予定日、及び識別番号をコード化したバーコードを印刷する。印刷された文字には耐水性のインクが使用されている。
【００２３】
試験者は、コンクリート供試体４の強度試験を行う際に、コンクリート供試体４の所定の位置に貼り付けられたラベルシール２２をバーコードリーダ３にかざしてバーコードを読み取る。
【００２４】
バーコードリーダ３は、読取手段の一例であり、送信ケーブル１１を介して端末装置１に接続されている。バーコードリーダ３は、図示しない光源と光センサを備え、端末装置１により作成されてコンクリート供試体４の所定の位置に貼り付けられたラベルシール２２の個別データＤ１の識別番号をコード化したバーコードをコンクリート供試体４の試験の前に光学的に読み取る。読み取ったバーコードの当該バーとスペースのパターンを解析して識別番号に変換する。変換された識別番号は、送信ケーブル１１を介してバーコードリーダ３から端末装置１へ出力される。
【００２５】
端末装置１は、ラベル管理データリスト２１の試験予定日項目の日付と試験当日の日付とを比較し、試験予定日項目の日付と試験当日の日付とが一致するラベル管理データリスト２１の識別番号を検索して抽出し、抽出された当該識別番号と読み取られたコンクリート供試体４の個別データＤ１の識別番号とを比較し、比較後、個別データＤ１の識別番号とラベル管理データリスト２１の識別番号とが合致すれば、コンクリート供試体４を試験する。比較結果が合致していなければコンクリート供試体４の試験を行わない。これにより、コンクリート供試体４の個別データＤ１を自動的に識別することができると共に、比較結果が合致したコンクリート供試体４のみ試験することができる。
【００２６】
強度試験機２は、強度測定手段の一例であり、油圧ジャッキ９、及びメータ１０を備える。強度試験機２は、コンクリート供試体４を油圧ジャッキ９により圧縮し、コンクリート供試体４の強度を測定してメータ１０に表示する。
【００２７】
また、強度試験機２は、強度試験機２と端末装置１を接続する通信手段の一例である送信ケーブル１２を介して強度試験機２から端末装置１へ測定データＤ２を出力する。端末装置１は、出力された測定データＤ２とラベル管理データリスト２１とを関連付けて記録する。これにより、試験後のコンクリート供試体４と、この測定データＤ２との不整合を無くすことができる。従って、効率的に測定データＤ２を管理することができる。
【００２８】
なお、比較結果が合致していなかった場合、端末装置１は、警報音を図示しないスピーカから出力する。これにより、試験者は、試験対象のコンクリート供試体４の試験日が間違っていたことに直ぐに気付くことができる。
【００２９】
図２は、端末装置１の制御部２０の構成例を示すブロック図である。図２に示す制御部２０は、ＣＰＵ１３、ＲＡＭ１４、ハードディスク１５、及びＣＰＵバス１６を備える。
【００３０】
ＣＰＵ１３は、ＣＰＵバス１６に接続されており、ＣＰＵ１３の駆動クロックは７００ＭＨｚ程度である。ＣＰＵ１３は、送信ケーブル１１を介してバーコードリーダ３から個別データＤ１を入力する。また、送信ケーブル１２を介して強度試験機２から測定データＤ２を入力する。
【００３１】
ＣＰＵ１３は、ラベル管理データリスト２１の試験予定日項目の日付と試験当日の日付とを比較し、試験予定日項目の日付と試験当日の日付とが一致するラベル管理データリスト２１の識別番号を検索して抽出し、抽出された当該識別番号とバーコードリーダ３から入力された個別データＤ１の識別番号とを比較し、比較後、個別データＤ１の識別番号とラベル管理データリスト２１の識別番号とが合致すれば、コンクリート供試体４を試験するように強度試験機２を制御する。比較結果が合致していなければコンクリート供試体４の試験を行わないように強度試験機２を制御する。これにより、コンクリート供試体４の個別データＤ１を自動的に識別することができると共に、比較結果が合致したコンクリート供試体４のみ試験することができる。
【００３２】
ハードディスク１５は、ＣＰＵバス１６を介してＣＰＵ１３に接続される。このハードディスク１５には、ラベル管理データリスト２１、及びデータ解析ソフトが記憶されている。ハードディスク１５の容量は１００Ｇバイト程度であり、増設も可能である。このソフトは、強度試験機２から出力される測定データＤ２を解析するために使用される。
【００３３】
ＲＡＭ１４は、ＣＰＵバス１６を介してＣＰＵ１３に接続され、このＲＡＭ１４の容量は、２５６Ｍバイト程度である。ＲＡＭ１４には、ハードディスク１５に記憶されたラベル管理データリスト２１、及びデータ解析ソフトのプログラムがＣＰＵ１３により展開される。
【００３４】
プリンタ８は、ＣＰＵバス１６を介してＣＰＵ１３に接続される。プリンタ８は、ＣＰＵ１３から送信される個別データＤ１に基づいてラベルシール２２に、識別番号、作成日、建室名・施工者、試験予定日、及び識別番号をコード化したバーコードを印刷する。
【００３５】
図３は、ラベル管理データリスト２１の構成例を示す説明図である。図３に示すラベル管理データリスト２１は、ハードディスク１５に記憶されており、データ解析ソフト起動時に、ＣＰＵ１３によりＲＡＭ１４に展開される。ラベル管理データリスト２１には、識別番号、作成日、コンクリート組成情報、建室名・施工者、試験予定日、試験実施日、及び測定データの項目が設定されている。例えば、識別番号が「Ｓ３−０７００１」のコンクリート供試体４の場合、作成日が「２００５／９／１」、試験予定日が「２００５／９／３０」、試験実施日が「２００５／９／３０」となっている。
【００３６】
例えば、識別番号が「Ｓ３−０７００１」のコンクリート供試体４を試験する場合、試験者は、このコンクリート供試体４の所定の位置に貼り付けられたラベルシール２２の個別データＤ１の識別番号をバーコードリーダ３により読み取る。端末装置１は、ラベル管理データリスト２１の試験予定日項目の日付と試験当日の日付とを比較し、試験予定日項目の日付と試験当日の日付とが一致するラベル管理データリスト２１の識別番号を検索して抽出し、抽出された当該識別番号と読み取られたコンクリート供試体４の個別データＤ１の識別番号とを比較し、比較後、個別データＤ１の識別番号とラベル管理データリスト２１の識別番号とが合致すれば、コンクリート供試体４を試験する。比較結果が合致していなければ当該コンクリート供試体４の試験を行わない。これにより、コンクリート供試体４の個別データＤ１の識別番号を自動的に識別することができると共に、比較結果が合致したコンクリート供試体４のみ試験することができる。
【００３７】
図４は、ラベルシール２２の構成例を示す説明図である。図４に示すラベルシール２２、及び印字Ｍ１〜Ｍ５は耐水性であり、ラベルシール２２は、粘着紙２３及び剥離紙２４から構成されている。粘着紙２３から剥離紙２４を剥がすと、この粘着紙２３の裏面は粘着素材を有しており、この粘着素材によって粘着紙２３がコンクリート供試体４に接着される。
【００３８】
このラベルシール２２の表面には、識別番号Ｍ１、作成日Ｍ２、建室名・施工者Ｍ３、試験予定日Ｍ４、及び識別番号をコード化したバーコードＭ５が印刷されている。試験者は、識別番号Ｍ１、作成日Ｍ２、建室名・施工者Ｍ３、試験予定日Ｍ４を目視により確認することができる。また、バーコードＭ５をバーコードリーダ３にかざしてコード化された識別番号を読み取ることができる。
【００３９】
図５は、コンクリート供試体４にラベルシール２２を貼り付ける例を示す説明図である。図５に示すコンクリート供試体４の形は円柱であり、直径１５ｃｍ〜３０ｃｍ程度、高さ２０ｃｍ〜４０ｃｍ程度である。例えば、原子力発電所を建設する際に使用する生コンクリートを、使用箇所やコンクリート組成比率ごとに分けて、予め型枠などに採取して一定期間、水中養生しておく。一定期間後、固まったコンクリート供試体４を強度試験機２により圧縮して強度を測定する。コンクリート供試体４の上面部２５にラベルシール２２が貼り付けられている。これにより、試験者は、ラベルシール２２に印刷された識別番号などを目視により確認することができる。ラベルシール２２の貼り付け箇所は、試験者から目視可能な箇所であれば、上面部２５に限らなくてもよい。
【００４０】
図６は、バーコードリーダ３の動作例を示すフローチャートである。図６に示すフローチャートのステップＳ１で、コンクリート供試体４の上面部２５に貼り付けられたラベルシール２２のコード化したバーコードをコンクリート供試体４の試験の前に光学的に読み取る。読み取ったバーコードの当該バーとスペースのパターンを解析して識別番号に変換してステップＳ２へ移行する。
【００４１】
ステップＳ２では、変換された識別番号を、送信ケーブル１１を介して端末装置１へ出力する。これにより、コンクリート供試体４の識別番号を自動的に読み取ることができる。
【００４２】
図７は、端末装置１の動作例を示すフローチャートである。端末装置１のハードディスク１５には、ラベル管理データリスト２１、及びデータ解析ソフトが記憶されており、ＲＡＭ１４に各々展開されている。これらをコンクリート供試体４の強度試験時の条件として図７に示すフローチャートのステップＴ１で、コンクリート供試体４の個別データＤ１に基づいて個体識別用のラベルシール２２、及びラベル管理データリスト２１を作成する。ラベル管理データリスト２１には、図３に示したように、識別番号、作成日、コンクリート組成情報、建室名・施工者、試験予定日、試験実施日、及び測定データＤ２が登録される。
【００４３】
例えば、試験者により、コンクリート供試体４の作成日に、端末装置１に備えられたキーボード６及びマウス７からラベル管理データリスト２１に識別番号、作成日、コンクリート組成情報、建室名・施工者、及び試験予定日が登録される。ＣＰＵ１３は、登録された個別データＤ１をプリンタ８に出力し、プリンタ８によりラベルシール２２に、識別番号、作成日、建室名・施工者、試験予定日、及び識別番号をコード化したバーコードが印刷される。印刷されたラベルシール２２は、コンクリート供試体４の上面部２５の位置に貼り付けられる。印刷された文字には耐水性のインクが使用されている。
【００４４】
ステップＴ２へ移行し、試験前のコンクリート供試体４の個別データＤ１を入力する。例えば、コンクリート供試体４のラベルシール２２のバーコードがバーコードリーダ３にかざされて個別データＤ１の識別番号が読み取られ、読み取られた個別データＤ１の識別番号が送信ケーブル１１を介して端末装置１へ入力される。
【００４５】
ステップＴ３へ移行し、入力された個別データＤ１とラベル管理データリスト２１とを比較する。例えば、ラベル管理データリスト２１の試験予定日項目の日付と試験当日の日付とを比較し、試験予定日項目の日付と試験当日の日付とが一致するラベル管理データリスト２１の識別番号を検索して抽出し、抽出された当該識別番号と入力されたコンクリート供試体４の個別データＤ１の識別番号とを比較する。
【００４６】
ステップＴ４へ移行し、比較結果を判断する。個別データＤ１の識別番号とラベル管理データリスト２１の識別番号が合致すれば、ステップＴ５へ移行する。ステップＴ５では、比較結果に基づいてコンクリート供試体４を試験を実施する。例えば、図１に示した強度試験機２によりコンクリート供試体４が油圧ジャッキ９により圧縮され、コンクリート供試体４の強度が測定されてメータ１０に表示される。測定後、送信ケーブル１２を介して強度試験機２から測定データＤ２が入力される。端末装置１は、入力された測定データＤ２とラベル管理データリスト２１とを関連付けて記録する。例えば、図３に示したように、識別番号ごとに測定データＤ２を関連付けて記録する。
【００４７】
これにより、識別番号を指定することにより、測定データＤ２を直ぐに参照することができる。また、データ解析ソフトを使用して測定データＤ２を解析することができる。従って、コンクリート供試体４の自動識別、測定データＤ２の自動入力、及びデータ解析を一元化することができる。
【００４８】
ステップＴ４で比較結果が合致していなければ、コンクリート供試体４の試験が行われないので、ステップＴ５の処理をパスして終了となる。比較結果が合致していなかった場合、端末装置１は、警報音を図示しないスピーカから出力する。これにより、試験者は、試験対象のコンクリート供試体４の試験日が間違っていたことに直ぐに気付くことができる。
【００４９】
このように、本発明に係るコンクリート供試体の強度測定システム１００及びその強度試験方法によれば、個体識別用のラベルシール２２の個別データＤ１とラベル管理データリスト２１とを比較し、比較結果に基づいてコンクリート供試体４を試験する端末装置１を備える。
【００５０】
この例では、ラベル管理データリスト２１の試験予定日項目の日付と試験当日の日付とを比較し、試験予定日項目の日付と試験当日の日付とが一致するラベル管理データリスト２１の識別番号を検索して抽出し、抽出された当該識別番号と読み取られたコンクリート供試体４の個別データＤ１の識別番号とを比較し、比較後、個別データＤ１の識別番号とラベル管理データリスト２１の識別番号とが合致すれば、コンクリート供試体４を試験するようになされる。
【００５１】
従って、コンクリート供試体４の個別データＤ１を自動的に識別することができると共に、比較結果が合致したコンクリート供試体４のみ試験することができる。これにより、強度データの確実な取り込みとデータ解析の効率化を図ることができる。
【００５２】
なお、コンクリート供試体４の上面部２５にラベルシートを貼り付ける例を示したが、以下の図８及び図９では、凹部付きコンクリート供試体４０を形成し、このコンクリート供試体４にラベルシール２２を貼り付ける例を示す。
【００５３】
図８（ａ）〜（ｃ）は、凹部付きコンクリート供試体４０の形成例を示す説明図である。図８（ａ）に示す生コンクリート２８は、蓋付き型枠３０に充填され、この型枠３０の凸型蓋２９が開かれた状態である。図８（ｂ）は、型枠３０に充填された状態の生コンクリート２８に、凸型蓋２９の凸部が生コンクリート２８に埋まるように蓋された状態である。図８（ｃ）は、図８（ｂ）の状態から一定時間経って生コンクリート２８が固まり、凸型蓋２９が外された状態である。図８（ｃ）の状態から型枠３０を取り外すと図９に示す凹部付きコンクリート供試体４０が完成する。
【００５４】
図９（ａ）及び（ｂ）は、凹部付きコンクリート供試体４０にラベルシール２２を貼り付ける例を示す説明図である。図９（ａ）に示す凹部付きコンクリート供試体４０の凹部３１にラベルシール２２を貼り付け、その上から透明カバー２６を凹部３１に嵌め込んで被せる。透明カバー２６のサイズは、凹部付きコンクリート供試体４０の凹部３１のサイズよりも若干大きい。これにより、透明カバー２６をコンクリート供試体４０の凹部３１に簡単に固定することができる。
【００５５】
図９（ｂ）は、凹部付きコンクリート供試体４０の凹部３１にラベルシール２２が貼り付けられ、その上から透明カバー２６が凹部３１に嵌め込んで被せられた状態である。これにより、ラベルシール２２の印字が汚れることを防ぐことができると共に、水中養生の際に、ラベルシール２２が剥がれることを防ぐことができる。
【産業上の利用可能性】
【００５６】
本発明は、コンクリート供試体の強度測定システムなどに適用して好適である。
【図面の簡単な説明】
【００５７】
【図１】本発明に係る実施例としてのコンクリート供試体の強度測定システム１００の構成例を示す概念図である。
【図２】端末装置１の制御部２０の構成例を示すブロック図である。
【図３】ラベル管理データリスト２１の構成例を示す説明図である。
【図４】ラベルシール２２の構成例を示す説明図である。
【図５】コンクリート供試体４にラベルシール２２を貼り付ける例を示す説明図である。
【図６】バーコードリーダ３の動作例を示すフローチャートである。
【図７】端末装置１の動作例を示すフローチャートである。
【図８】（ａ）〜（ｃ）は、凹部付きコンクリート供試体４０の形成例を示す説明図である。
【図９】（ａ）及び（ｂ）は、凹部付きコンクリート供試体４０にラベルシール２２を貼り付ける例を示す説明図である。
【符号の説明】
【００５８】
１  端末装置（作成手段、及び試験手段）
２  強度試験機（強度測定手段）
３  バーコード読取器（読取手段）
４  コンクリート供試体
２１  ラベル管理データリスト（ラベル管理情報）
２２  ラベルシール（固体識別用のラベル）
１００  コンクリート供試体の強度試験システム
【図１】
2007198840.tif 000003
【図２】
2007198840.tif 000004
【図３】
2007198840.tif 000005
【図４】
2007198840.tif 000006
【図５】
2007198840.tif 000007
【図６】
2007198840.tif 000008
【図７】
2007198840.tif 000009
【図８】
2007198840.tif 000010
【図９】
2007198840.tif 000011